【手続補正書】
【提出日】平成18年10月3日(2006.10.3)
【手続補正１】
【補正対象書類名】明細書
【補正対象項目名】全文
【補正方法】変更
【補正の内容】
【書類名】      明細書
【発明の名称】  遊技機用基盤ボックス
【特許請求の範囲】
【請求項１】  本体と、蓋体と、その本体と蓋体とを封印する封印具とを備えた遊技機用基盤ボックスであって、
前記封印具は、
本体側に属する封印部材と、
蓋体側に属し前記本体側の封印部材と結合状態にある封印部材と、
それら封印部材によって本体と蓋体とが結合された状態に対して蓋体が開けられた場合に修復不能な開封痕が形成される開封痕形成手段と、を有し、
その開封痕を自己の外部から視認し得るようにしてなることを特徴とする遊技機用基盤ボックス。
【発明の詳細な説明】
【０００１】
【発明の属する技術分野】
本発明は、例えばパチンコ機などの遊技機に使用されている基盤ボックスに関する。
【０００２】
【従来の技術】
現在のパチンコ機やスロットマシーンは、遊技内容がマイクロコンピュータを含む制御基盤で制御されており、殆ど全ての機種に前記制御基盤を収納する遊技機用基盤ボックスが取り付けられている。この遊技機用基盤ボックスは、四角い箱形の本体に同じく四角い箱形の蓋体を被せ、該本体と蓋体をビスで結合した構造である。
【０００３】
而して、遊技機用基盤ボックスの蓋体を外して制御基盤に手を加え、遊技内容を変更する不正行為が問題になっている。そして、そのような不正行為を未然に防止する目的で、現在は、本体と蓋体の接合箇所に封印シールを貼るようにしている。
【０００４】
【発明が解決しようとする課題】
制御基盤の改造はソフトが対象であって外見で判別できるものではなく、蓋体を開いた形跡を手がかりにする以外不正行為の発見は実務上困難である。しかるに上記封印シールは、一旦剥がしても、容易ではないものの修復可能であり、貼り直しておけば蓋体を開いた形跡が残らない場合があるため、不正行為の対抗手段として有効に機能しないおそれがある。
【０００５】
【課題を解決するための手段】
本発明は上記に鑑みなされたもので、本体と、蓋体と、その本体と蓋体とを封印する封印具とを備えた遊技機用基盤ボックスであって、前記封印具は、本体側に属する封印部材と、蓋体側に属し前記本体側の封印部材と結合状態にある封印部材と、それら封印部材によって本体と蓋体とが結合された状態に対して蓋体が開けられた場合に修復不能な開封痕が形成される開封痕形成手段と、を有し、その開封痕を自己の外部から視認し得るようにしてなる遊技機用基盤ボックスを提供する。
【０００６】
蓋体が開けられて両封印部材同士相互に変位が生ずる場合には、開封痕形成手段が働いて開封痕ができる。該開封痕は修復不能であって消せないため、該開封痕を見れば蓋体を開いた事実が一見して判る。従って、遊技内容を改造する不正行為の摘発が容易になり、それが抑止力となって不正行為の発生を未然に防止することができる。
【０００７】
【発明の実施の形態】
以下に本発明の実施の形態を図面を参照しつつ説明する。なお、図１（ａ）は封印具の正面図、図１（ｂ）は蓋体を浮かせた状態を示す封印具の正面図、図２は封印具の斜視図、図３（ａ）は封印具の断面正面図、図３（ｂ）は図３（ａ）のＸ−Ｘ線断面図、図３（ｃ）は図３（ａ）のＹ−Ｙ線断面図、図４（ａ）は蓋体を浮かせた状態を示す封印具の断面正面図、図４（ｂ）は図４（ａ）のＺ−Ｚ線断面図、図５は遊技機用基盤ボックスの斜視図である。
【０００８】
遊技機用基盤ボックス１は、図５に示したように、金属製で四角い箱形の本体１Ａに同じく金属製で箱形の蓋体１Ｂを被せ、該本体１Ａと蓋体１Ｂをビス２で結合した構造である。なお、蓋体１Ｂには半透明の合成樹脂板３が嵌め込まれている。
【０００９】
本発明の封印具４は、前記遊技機用基盤ボックス１の本体１Ａと蓋体１Ｂの接合箇所を跨いで取り付けられるもので、本体１Ａ側に属する封印部材４ａと、蓋体１Ｂ側に属する封印部材４ｂと、蓋体１Ｂを浮かせる動作によって生ずる両封印部材４ａ，４ｂ同士相互の運動を修復不能な開封痕に変換する開封痕形成手段とから構成される。
【００１０】
本体１Ａ側の封印部材４ａは、上端開放状の角鞘形状であって、例えば白色で不透明な合成樹脂製である。封印部材４ａは前後片を別々に成形し両片を熱溶着や接着剤などで一体化した接合構造であって、その内部に蓋体１Ｂ側の封印部材４ｂを納める空間Ｓが設けられている。封印部材４ａの正面には、前記空間Ｓに連通し且つ凸レンズ状の透明部材５を嵌め込んだ窓孔６が形成されている。なお、空間Ｓの詳細については封印部材４ｂと一緒に後述する。また、封印部材４ａの裏面には本体１Ａ側のスリット７に係合する係合片８が突設されている。該係合片８は側面視台形の鍵部８ａと、弾性を付与するための割り溝８ｂとからなるもので、前記本体１Ａのスリット７に押し込むと、嵌まり込んで抜けない所謂嵌め殺し構造である。
【００１１】
蓋体１Ｂ側の封印部材４ｂは、例えば白色の合成樹脂でできており、前記本体１Ａ側の封印部材４ａから頭部９を突出させた状態で空間Ｓ内に嵌まり込んでいる。頭部９の裏面には、封印部材４ａの前記係合片８と同構造の係合片８が突設されており、蓋体１Ｂのスリット７に嵌め殺し状態にて係合する。封印部材４ｂの頭部９の下には封印部材４ａの上向凹部１０に嵌まり合う板状部１１が連設され、さらに板状部１１に二本の引張りアーム１２を介して板状の表示部１３が一体に連設されている。なお、引張りアーム１２は後述するカーブ通路１４に沿って曲がるしなやかさがある。表示部１３は、表面が例えば赤色に着色されており、通常窓孔６の下に位置して外部から見えないようになっている。この表示部１３の高さは窓孔６の高さとほぼ同じに設定してある。また、表示部１３の下部には鋸歯状のワンウェイストッパー１５が突設してあり、該ワンウェイストッパー１５が封印部材４ａの空間Ｓに形成した鋸歯状凹部１６に嵌まる。ワンウェイストッパー１５はセンターに長孔１７が形成されていて幅方向に弾性変形し得るようになっており、鋸歯の噛み合わせ形態に従い上動のみ可能である。一方、封印部材４ａの空間Ｓには窓孔６の上縁から上向凹部１０までの間に、引張りアーム１２が通るカーブ通路１４を両横に残してストッパー１８が設けられている。
【００１２】
而して、開封痕形成手段は、主として封印部材４ｂの赤色の表示部１３とワンウェイストッパー１５、及び封印部材４ａの鋸歯状凹部１６の組合せである。
【００１３】
次ぎに、本発明の封印具４の使用方法について説明する。先ず、封印具４は封印部材４ａと封印部材４ｂが嵌め合わされた図３（ａ）〜（ｃ）の状態になっており、封印部材４ａ，４ｂの係合片８，８を本体１Ａと蓋体１Ｂのスリット７，７に嵌めて図５のように遊技機用基盤ボックス１の上下側面に装着するか、又は、図５に鎖線で示したように遊技機用基盤ボックス１の左右側面に装着する。封印部材４ａの窓孔６は、奥に封印部材４ｂが対向していないため、図１（ａ）のように白く見える。封印具４を装着する場所や個数は、遊技機用基盤ボックス１の構造に対応させればよく、一個だけで機能する場合もある。また、従来の封印シールと併用するようにしてもよい。
【００１４】
さて、この状態で蓋体１Ｂを開くには、先ず蓋体１Ｂを固定しているビス２を外し、図４（ａ），（ｂ）のように蓋体１Ｂを若干浮き上がらせる。そうすると、封印部材４ｂの頭部９が上動し、引張りアーム１２に引かれて表示部１３とワンウェイストッパー１５が一体に上動する。封印部材４ｂの上動範囲は、表示部１３がストッパー１８に当たる位置までであり、蓋体１Ｂもそれ以上上がらない。この状態で封印部材４ａの上に封印部材４ｂの引張りアーム１２が僅かに臨むから、該引張りアーム１２をカッターナイフなどの工具で切断する。これにより両封印部材４ａ，４ｂの結合が解け本体１Ａから蓋体１Ｂが外れる。
【００１５】
一方、上動した封印部材４ｂは、ワンウェイストッパー１５と鋸歯状凹部１６の噛み合わせで下動不能であるから、残った引張りアーム１２をカーブ通路１４に押し込んでも元に戻らない。この封印部材４ｂが上がりきった位置で表示部１３と封印部材４ａの窓孔６が合致しているため、図１（ｂ）のように、封印部材４ａの窓孔６から表示部１３の赤色が鮮明に見える。これが修復不能な開封痕となって残るから、蓋体１Ｂを開いた事実が一見して明瞭になる。しかも窓孔６には凸レンズ状の透明部材５が嵌め込まれているため、指向性が広がって発見が容易である。
【００１６】
ところで封印具４の係合片８，８はスリット７，７の内側から先端を挟んで窄めれば取り外し得るため、封印具４全部を交換することが可能である。これについては封印具４を適正に管理すれば問題ないのであるが、封印具４が不正に流出する可能性がないとは言えない。このような封印具の不正流出に対向してより効果を高めるには、開封痕が残る封印部材４ａをビス止めしてビスの頭部を潰し、ビスが外れないようにする、などの措置を講ずればよい。また、本体１Ａを合成樹脂化して封印部材４ａを一体成形したり、或いは図６のように蓋体１Ｂを合成樹脂化すると共に封印部材４ｂを蓋体１Ｂと一体成形し、封印部材４ｂ側に開封痕が残るようにしてもよい。なお、図６の封印部材４ａは図１〜図５の封印部材４ｂと、また、図６の封印部材４ｂは図１〜図５の封印部材４ａと同一構造であるため、機能上同一である部分に同一符号を付して説明を省略する。但し、図６の封印具４は、係合片８を鋲型にして封印部材４ａと別体にし、それを封印部材４ａの装着凹部１９に嵌め殺し構造で埋め込むようにしてある。封印具４はその性格上、全てのチェックを終了した段階で装着すべきものであるから、前記のように係合片８を別体化しておけば、チェック前の作業段階に誤装着する可能性が無くなり、作業性の向上にプラスである。
【００１７】
以上本発明を実施の形態について説明したが、もちろん本発明は上記実施形態に限定されるものではない。例えば、開封痕の形態は外部から視認可能である限りどのようなものであってもよい。具体的には、図７に示したように、封印部材４ａ側に塗料を塗った塗膜２０を形成し、一方、封印部材４ｂ側に金属製の刃２１を取り付け、蓋体１Ｂを浮かせる動作によって生ずる封印部材４ｂの運動で刃２１を塗膜２０面で摺動させ、それによって塗膜２０を削り落とすようにしてもよい。この場合、封印部材４ｂを透明にしておけば、封印部材４ｂが逆戻りしても開封痕が見えるからワンウェイストッパー１５は不要である。或いは、図示しないが、両封印部材４ａ，４ｂ同士相互の運動により容器内で分離状態にある二液を混合させ、混ざり合った液体の色彩を開封痕とするようにしてもよい。
【００１８】
【発明の効果】
本発明の遊技機用基盤ボックスは、蓋体が開けられる場合に開封痕形成手段を機能させ、修復不能な開封痕を作るようにしたため、該開封痕を見れば蓋体を開いた事実が一見して判る。従って、遊技内容を改造する不正行為のチェックが迅速に行えるようになって摘発が容易になり、それが抑止力となって不正行為の発生を未然に防止することができる。
【図面の簡単な説明】
【図１】  （ａ）は封印具の正面図、（ｂ）は蓋体を浮かせた状態を示す封印具の正面図である。
【図２】  封印具の斜視図である。
【図３】  （ａ）は封印具の断面正面図、（ｂ）は（ａ）のＸ−Ｘ線断面図、（ｃ）は（ａ）のＹ−Ｙ線断面図である。
【図４】  （ａ）は蓋体を浮かせた状態を示す封印具の断面正面図、（ｂ）は（ａ）のＺ−Ｚ線断面図である。
【図５】  遊技機用基盤ボックスの斜視図である。
【図６】  封印具の変形例を示す要部の縦断面図である。
【図７】  封印具の変形例を示す要部の縦断面図である。
【符号の説明】
１  …遊技機用基盤ボックス
１Ａ…本体
１Ｂ…蓋体
４  …封印具
４ａ，４ｂ…封印部材